(57)【要約】【課題】本発明の目的は、情報の利便性と安全性という相反することを同時に満足させ、ユーザの現在位置に応じて、情報の利便性を重視した記憶位置と、情報の安全性を重視した記憶位置とのいずれかが自動的に決定され、ユーザの現在位置に最も適した情報の転送などの管理を行うことが可能な携帯端末装置及び情報管理方法を提供することである。【解決手段】閲覧端末装置１がクレードル１０１に接続されたことが検出されたときに、メモリーカード６に記憶される表示情報６０１を、ユーザの現在位置に基づいて第１記憶部４１又は第２記憶部４２に転送を行う。すなわち、ユーザ位置情報１１０４と前回ユーザ位置情報とが一致しないと判定された場合、メモリーカード６、第１記憶部４１または第２記憶部４２のいずれかの記憶部に記憶される表示情報を、他の２つの記憶部のいずれに記憶させるかを表す記憶位置が、変化したユーザ位置情報に基づいて決定される。表示情報は、決定された記憶位置により表された記憶部に転送されて記憶される。【選択図】図６
2010086165.tif 000002
【特許請求の範囲】
【請求項１】
表示情報を含む種々の情報を記憶する端末記憶部を有する携帯端末装置と、
ユーザの現在位置を表す現在位置情報を更新可能に記憶するユーザ位置情報記憶部と、
前記携帯端末装置が取り外し可能に接続される接続装置と、
前記携帯端末装置が前記接続装置に対して接続された接続状態か、または、取り外された取り外し状態かを検出する検出部と、
前記接続装置に備えられる第１記憶部と、
前記携帯端末装置と前記接続装置との少なくとも一方の装置と、通信回線または無線により接続される情報管理サーバに備えられる第２記憶部と、
前記端末記憶部に記憶された情報を前記第１記憶部または前記第２記憶部のいずれの記憶部に記憶させるかを表す記憶位置を、前記現在位置情報に基づいて決定する記憶位置決定部と、
前記検出部が接続状態を検出しているとき、前記端末記憶部に記憶された情報を、前記記憶位置により表された記憶部に記憶させる制御部と、
を備えることを特徴とする携帯端末情報管理システム。
【請求項２】
前記ユーザ位置情報記憶部に記憶される前記現在位置情報が変化したか否かを判定する位置変化判定部を備え、
前記記憶位置決定部は、前記端末記憶部に記憶された情報を前記第１記憶部または前記第２記憶部のいずれの記憶部に記憶させるかを表す記憶位置を、前記変化した現在位置情報に基づいて決定し、
前記位置変化判定部により、前記現在位置情報が変化したと判定された場合、前記制御部は、前記端末記憶部に記憶された情報を、前記記憶位置により表された記憶部に記憶させることを特徴とする請求項１に記載の携帯端末情報管理システム。
【請求項３】
前記制御部が、前記端末記憶部に記憶された情報を前記第１記憶部に、または、前記第２記憶部に記憶させた後に、前記端末記憶部に記憶された情報の中で前記第１記憶部または前記第２記憶部に記憶された情報を削除することを特徴とする請求項１または請求項２に記載の携帯端末情報管理システム。
【請求項４】
前記現在位置情報により表されるユーザの現在位置が前記接続装置に近いか否かを判定する現在位置判定部を備え、
前記携帯端末装置の端末記憶部は、表示情報を含む種々の情報を少なくとも１つのファイルとして記憶し、且つ、そのファイルついて閲覧可能な複数のユーザに対応付けられたユーザＩＤを記憶し、
前記ユーザ位置情報記憶部は、前記複数のユーザの前記現在位置情報を記憶し、
前記記憶位置決定部は、前記複数のユーザの現在位置情報に基づいて、前記ファイルについて複数の前記記憶位置をそれぞれ決定し、
前記検出部が接続状態を検出し、且つ、前記現在位置判定部が、前記ファイルを閲覧可能な複数のユーザの現在位置情報の中で少なくとも１つの現在位置情報についてユーザの現在位置が前記接続装置に近いと判定した場合、前記記憶位置決定部は、前記第１記憶部に前記ファイルを記憶させることを表す記憶位置を決定することを特徴とする請求項１から請求項３のいずれかに記載の携帯端末情報管理システム。
【請求項５】
表示情報を含む種々の情報を記憶する端末記憶部を有し、接続装置に取り外し可能に接続される携帯端末装置であって、
前記接続装置に対して接続された接続状態か、または、取り外された取り外し状態かを検出する検出部と、
ユーザの現在位置を表す現在位置情報を更新可能に記憶するユーザ位置情報記憶部と、
前記端末記憶部に記憶された情報を、前記接続装置に備えられる第１記憶部か、または前記携帯端末装置と前記接続装置との少なくとも一方の装置と、通信回線または無線により接続される情報管理サーバに備えられる第２記憶部かのいずれの記憶部に記憶させるかを表す記憶位置を、前記現在位置情報に基づいて決定する記憶位置決定部と、
前記検出部が接続状態を検出しているとき、前記端末記憶部に記憶された情報を、前記記憶位置により表された記憶部に記憶させる制御部と、
を備えることを特徴とする携帯端末情報管理機能付き携帯端末装置。
【請求項６】
前記ユーザ位置情報記憶部に記憶される前記現在位置情報が変化したか否かを判定する位置変化判定部を備え、
前記記憶位置決定部は、前記端末記憶部に記憶された情報を前記第１記憶部または前記第２記憶部のいずれの記憶部に記憶させるかを表す記憶位置を、前記変化した現在位置情報に基づいて決定し、
前記位置変化判定部により、前記現在位置情報が変化したと判定された場合、前記制御部は、前記端末記憶部に記憶された情報を、前記記憶位置により表された記憶部に記憶させることを特徴とする請求項５に記載の携帯端末情報管理機能付き携帯端末装置。
【請求項７】
請求項５または請求項６に記載の携帯端末情報管理機能付き携帯端末装置が取り外し可能に接続される接続装置であって、前記第１記憶部を備え、前記携帯端末装置のための充電機能を有するクレードルから構成されたことを特徴とする携帯端末情報管理機能付き接続装置。
【請求項８】
表示情報を含む種々の情報を記憶する端末記憶部を有する携帯端末装置が取り外し可能に接続される接続装置であって、
前記携帯端末装置と前記接続装置との接続状態を表す接続検出信号を受け取る接続検出信号受取部と、
ユーザの現在位置を表す現在位置情報を更新可能に記憶するユーザ位置情報記憶部と、
前記端末記憶部に記憶された情報を、前記接続装置に備えられる第１記憶部か、または前記携帯端末装置と前記接続装置との少なくとも一方の装置と、通信回線または無線により接続される情報管理サーバに備えられる第２記憶部かのいずれの記憶部に記憶させるかを表す記憶位置を、前記現在位置情報に基づいて決定する記憶位置決定部と、
前記接続検出信号受取部が前記接続検出信号を受け取っているとき、前記端末記憶部に記憶された情報を、前記記憶位置により表された記憶部に記憶させる制御部と、
を備えることを特徴とする携帯端末情報管理機能付き接続装置。
【請求項９】
接続装置に取り外し可能に接続される携帯端末装置に備えられる端末記憶部に表示情報を含む種々の情報を記憶させる端末記憶ステップと、
ユーザの現在位置を表す現在位置情報をユーザ位置情報記憶部に更新可能に記憶させる位置情報記憶ステップと、
前記携帯端末装置が前記接続装置に対して接続された接続状態か、または、取り外された取り外し状態かを検出する検出ステップと、
前記端末記憶部に記憶された情報を、前記接続装置に備えられる第１記憶部か、または前記携帯端末装置と前記接続装置との少なくとも一方の装置と、通信回線または無線により接続される情報管理サーバに備えられる第２記憶部かのいずれの記憶部に記憶させるかを表す記憶位置を、前記現在位置情報に基づいて決定する記憶位置決定ステップと、
前記検出ステップにより接続状態が検出されているとき、前記端末記憶部に記憶される情報を、前記記憶位置により表された記憶部に記憶させるための制御を行う制御ステップと、
を備えることを特徴とする携帯端末情報管理方法。
【請求項１０】
接続装置に取り外し可能に接続される携帯端末装置に備えられる端末記憶部に表示情報を含む種々の情報を記憶させる端末記憶ステップと、
ユーザの現在位置を表す現在位置情報をユーザ位置情報記憶部に更新可能に記憶させる位置情報記憶ステップと、
前記携帯端末装置が前記接続装置に対して接続された接続状態か、または、取り外された取り外し状態かを検出する検出ステップと、
前記端末記憶部に記憶された情報を、前記接続装置に備えられる第１記憶部か、または前記携帯端末装置と前記接続装置との少なくとも一方の装置と、通信回線または無線により接続される情報管理サーバに備えられる第２記憶部かのいずれの記憶部に記憶させるかを表す記憶位置を、前記現在位置情報に基づいて決定する記憶位置決定ステップと、
前記検出ステップにより接続状態が検出されているとき、前記端末記憶部に記憶される情報を、前記記憶位置により表された記憶部に記憶させるための制御を行う制御ステップと、
をコンピュータに実現させるための携帯端末情報管理プログラム。
【発明の詳細な説明】
【技術分野】
【０００１】
本発明は、携帯端末装置に記憶されている情報を管理する装置に関する。詳細には、携帯端末装置がクレードルや設置台、パーソナルコンピュータに代表される接続装置から不正に取り外されたときに、携帯端末装置の記憶部に記憶されている情報が不正に使用されることを防ぐ携帯端末情報管理機能を備えた装置及び方法に関する。
【背景技術】
【０００２】
特許文献１には、携帯電話器におけるユーザ認証が所定回数失敗したことに基づいて、携帯電話器のメモリに記憶されているデータをサーバに退避させる携帯端末装置が開示されている。データがサーバに退避された後に、自動的に、または、サーバからデータを受け取ったことの応答があったときに携帯電話器のメモリからデータが消去される。サーバにデータを退避させるため、情報漏洩の危険性が低く、ユーザにとって情報の機密保持の点で安全性がある。
【特許文献１】特開２００７−１５６９８６号公報
【発明の開示】
【発明が解決しようとする課題】
【０００３】
しかしながら、特許文献１に記載された携帯端末装置では、サーバに備えられた記憶装置から携帯端末装置への情報の送信は、通信回線などを介する必要があり、短時間での情報の読み出しには不都合である。そのため、端末装置を再度使用するときに時間がかかってしまい、使い勝手が悪いという問題があった。
【０００４】
本発明は、上述した問題点を解決するためになされたものである。本発明の目的は、情報の利便性と安全性という相反することを同時に満足させ、ユーザの現在位置に応じて、情報の利便性を重視した記憶位置と、情報の安全性を重視した記憶位置とのいずれかが自動的に決定され、ユーザの現在位置に最も適した情報の転送などの管理を行うことが可能な携帯端末装置及び情報管理方法を提供することである。
【課題を解決するための手段】
【０００５】
請求項１に記載の発明によれば、表示情報を含む種々の情報を記憶する端末記憶部を有する携帯端末装置と、ユーザの現在位置を表す現在位置情報を更新可能に記憶するユーザ位置情報記憶部と、前記携帯端末装置が取り外し可能に接続される接続装置と、前記携帯端末装置が前記接続装置に対して接続された接続状態か、または、取り外された取り外し状態かを検出する検出部と、前記接続装置に備えられる第１記憶部と、前記携帯端末装置と前記接続装置との少なくとも一方の装置と、通信回線または無線により接続される情報管理サーバに備えられる第２記憶部と、前記端末記憶部に記憶された情報を前記第１記憶部または前記第２記憶部のいずれの記憶部に記憶させるかを表す記憶位置を、前記現在位置情報に基づいて決定する記憶位置決定部と、前記検出部が接続状態を検出しているとき、前記端末記憶部に記憶された情報を、前記記憶位置により表された記憶部に記憶させる制御部と、を備えることを特徴とする携帯端末情報管理システムである。
【０００６】
請求項２に記載の発明によれば、前記ユーザ位置情報記憶部に記憶される前記現在位置情報が変化したか否かを判定する位置変化判定部を備え、前記記憶位置決定部は、前記端末記憶部に記憶された情報を前記第１記憶部または前記第２記憶部のいずれの記憶部に記憶させるかを表す記憶位置を、前記変化した現在位置情報に基づいて決定し、前記位置変化判定部により、前記現在位置情報が変化したと判定された場合、前記制御部は、前記端末記憶部に記憶された情報を、前記記憶位置により表された記憶部に記憶させることを特徴としている。
【０００７】
請求項３に記載の発明によれば、前記制御部が、前記端末記憶部に記憶された情報を前記第１記憶部に、または、前記第２記憶部に記憶させた後に、前記端末記憶部に記憶された情報の中で前記第１記憶部または前記第２記憶部に記憶された情報を削除することを特徴している。
【０００８】
請求項４に記載の発明によれば、前記現在位置情報により表されるユーザの現在位置が前記接続装置に近いか否かを判定する現在位置判定部を備え、前記携帯端末装置の端末記憶部は、表示情報を含む種々の情報を少なくとも１つのファイルとして記憶し、且つ、そのファイルついて閲覧可能な複数のユーザに対応付けられたユーザＩＤを記憶し、前記ユーザ位置情報記憶部は、前記複数のユーザの前記現在位置情報を記憶し、前記記憶位置決定部は、前記複数のユーザの現在位置情報に基づいて、前記ファイルについて複数の前記記憶位置をそれぞれ決定し、前記検出部が接続状態を検出し、且つ、前記現在位置判定部が、前記ファイルを閲覧可能な複数のユーザの現在位置情報の中で少なくとも１つの現在位置情報についてユーザの現在位置が前記接続装置に近いと判定した場合、前記記憶位置決定部は、前記第１記憶部に前記ファイルを記憶させることを表す記憶位置を決定することを特徴としている。
【０００９】
請求項５に記載の発明によれば、表示情報を含む種々の情報を記憶する端末記憶部を有し、接続装置に取り外し可能に接続される携帯端末装置であって、前記接続装置に対して接続された接続状態か、または、取り外された取り外し状態かを検出する検出部と、ユーザの現在位置を表す現在位置情報を更新可能に記憶するユーザ位置情報記憶部と、前記端末記憶部に記憶された情報を、前記接続装置に備えられる第１記憶部か、または前記携帯端末装置と前記接続装置との少なくとも一方の装置と、通信回線または無線により接続される情報管理サーバに備えられる第２記憶部かのいずれの記憶部に記憶させるかを表す記憶位置を、前記現在位置情報に基づいて決定する記憶位置決定部と、前記検出部が接続状態を検出しているとき、前記端末記憶部に記憶された情報を、前記記憶位置により表された記憶部に記憶させる制御部と、を備えることを特徴とする携帯端末情報管理機能付き携帯端末装置である。
【００１０】
請求項６に記載の発明によれば、前記ユーザ位置情報記憶部に記憶される前記現在位置情報が変化したか否かを判定する位置変化判定部を備え、前記記憶位置決定部は、前記端末記憶部に記憶された情報を前記第１記憶部または前記第２記憶部のいずれの記憶部に記憶させるかを表す記憶位置を、前記変化した現在位置情報に基づいて決定し、前記位置変化判定部により、前記現在位置情報が変化したと判定された場合、前記制御部は、前記端末記憶部に記憶された情報を、前記記憶位置により表された記憶部に記憶させることを特徴とする請求項５に記載の携帯端末情報管理機能付き携帯端末装置である。
【００１１】
請求項７に記載の発明によれば、請求項５または請求項６に記載の携帯端末情報管理機能付き携帯端末装置が取り外し可能に接続される接続装置であって、前記第１記憶部を備え、前記携帯端末装置のための充電機能を有するクレードルから構成されたことを特徴とする携帯端末情報管理機能付き接続装置である。
【００１２】
請求項８に記載の発明によれば、表示情報を含む種々の情報を記憶する端末記憶部を有する携帯端末装置が取り外し可能に接続される接続装置であって、前記携帯端末装置と前記接続装置との接続状態を表す接続検出信号を受け取る接続検出信号受取部と、ユーザの現在位置を表す現在位置情報を更新可能に記憶するユーザ位置情報記憶部と、前記端末記憶部に記憶された情報を、前記接続装置に備えられる第１記憶部か、または前記携帯端末装置と前記接続装置との少なくとも一方の装置と、通信回線または無線により接続される情報管理サーバに備えられる第２記憶部かのいずれの記憶部に記憶させるかを表す記憶位置を、前記現在位置情報に基づいて決定する記憶位置決定部と、前記接続検出信号受取部が前記接続検出信号を受け取っているとき、前記端末記憶部に記憶された情報を、前記記憶位置により表された記憶部に記憶させる制御部と、を備えることを特徴とする携帯端末情報管理機能付き接続装置である。
【００１３】
請求項９に記載の発明によれば、接続装置に取り外し可能に接続される携帯端末装置に備えられる端末記憶部に表示情報を含む種々の情報を記憶させる端末記憶ステップと、ユーザの現在位置を表す現在位置情報をユーザ位置情報記憶部に更新可能に記憶させる位置情報記憶ステップと、前記携帯端末装置が前記接続装置に対して接続された接続状態か、または、取り外された取り外し状態かを検出する検出ステップと、前記端末記憶部に記憶された情報を、前記接続装置に備えられる第１記憶部か、または前記携帯端末装置と前記接続装置との少なくとも一方の装置と、通信回線または無線により接続される情報管理サーバに備えられる第２記憶部かのいずれの記憶部に記憶させるかを表す記憶位置を、前記現在位置情報に基づいて決定する記憶位置決定ステップと、前記検出ステップにより接続状態が検出されているとき、前記端末記憶部に記憶される情報を、前記記憶位置により表された記憶部に記憶させるための制御を行う制御ステップと、を備えることを特徴とする携帯端末情報管理方法である。
【００１４】
請求項１０に記載の発明によれば、接続装置に取り外し可能に接続される携帯端末装置に備えられる端末記憶部に表示情報を含む種々の情報を記憶させる端末記憶ステップと、ユーザの現在位置を表す現在位置情報をユーザ位置情報記憶部に更新可能に記憶させる位置情報記憶ステップと、前記携帯端末装置が前記接続装置に対して接続された接続状態か、または、取り外された取り外し状態かを検出する検出ステップと、前記端末記憶部に記憶された情報を、前記接続装置に備えられる第１記憶部か、または前記携帯端末装置と前記接続装置との少なくとも一方の装置と、通信回線または無線により接続される情報管理サーバに備えられる第２記憶部かのいずれの記憶部に記憶させるかを表す記憶位置を、前記現在位置情報に基づいて決定する記憶位置決定ステップと、前記検出ステップにより接続状態が検出されているとき、前記端末記憶部に記憶される情報を、前記記憶位置により表された記憶部に記憶させるための制御を行う制御ステップと、をコンピュータに実現させるための携帯端末情報管理プログラムである。
【発明の効果】
【００１５】
一般に、携帯端末装置が接続装置に接続されている場合、接続装置に備えられた第１記憶部から携帯端末装置への情報の送信は、通信回線などを介さずに直接に行うことができ、短時間で情報の読み出しが可能であり、ユーザにとって情報の読み出し易さの点で利便性がある。これに対し、管理サーバに備えられた第２記憶部から携帯端末装置への情報の送信は、通信回線などを介する必要があり、短時間での情報の読み出しには不都合があるが、第２記憶部に記憶することで情報漏洩の危険性が低く、ユーザにとって情報の機密保持の点で安全性がある。情報の利便性と安全性という相反することを同時に満足するために、請求項１に記載の発明によれば、記憶位置決定部は、端末記憶部に記憶された情報を第１記憶部または第２記憶部のいずれの記憶部に記憶させるかを表す記憶位置を、現在位置情報に基づいて決定する。制御部は、検出部が接続状態を検出しているとき、端末記憶部に記憶された情報を、記憶位置により表された記憶部に記憶させる。この結果、ユーザの現在位置に応じて、情報の利便性を重視した記憶位置と、情報の安全性を重視した記憶位置とのいずれかが自動的に決定され、ユーザの現在位置に最も適した情報の転送などの管理を行うことが可能となる。
【００１６】
請求項２に記載の発明によれば、現在位置情報が変化したと判定された場合、制御部は、端末記憶部に記憶された情報を、記憶位置により表された記憶部に記憶させる。この結果、現在位置情報が変化しない場合でも制御部が記憶部に記憶させる制御処理を行う構成に比べ、制御部が記憶部に記憶させる制御処理は、現在位置情報が変化した場合に限られることから、その制御処理の負担が軽減される。
【００１７】
請求項３記載の発明によれば、制御部が、端末記憶部に記憶された情報を第１記憶部に、または、第２記憶部に記憶させた後に、端末記憶部に記憶された情報の中で第１記憶部または第２記憶部に記憶された情報を削除する。この結果、携帯端末装置が不正に接続装置抜き取られた場合でも、携帯端末装置の端末記憶部から情報は削除されているため、携帯端末装置に記憶されていた情報が不正に使用されることがない。
【００１８】
請求項４に記載の発明によれば、携帯端末装置の端末記憶部は、表示情報を含む種々の情報を少なくとも１つのファイルとして記憶する。検出部が接続状態を検出し、且つ、現在位置判定部が、ファイルを閲覧可能な複数のユーザの現在位置情報の中で少なくとも１つの現在位置情報についてユーザの現在位置が接続装置に近いと判定した場合、記憶位置決定部は、第１記憶部にファイルを記憶させることを表す記憶位置を決定する。この結果、携帯端末装置の少なくとも１人の正規ユーザが接続装置の近くにいるため、不正使用される可能性が低く、利便性が重視される。この場合、正規ユーザは、第１記憶部に記憶された情報を短時間で読み出すことができ、携帯端末装置の利便性が重視され、使い勝手が良くなる。
【００１９】
請求項５に記載の発明によれば、携帯端末装置の端末情報を管理するために検出部とユーザ位置情報記憶部と記憶位置決定部と制御部とが携帯端末装置に備えられている。携帯端末装置に上記端末情報を管理するための構成が備えられることで、接続装置は携帯端末装置と接続可能な構成を備えれば良い。この結果、ユーザの現在位置に応じて、情報の利便性を重視した記憶位置と、情報の安全性を重視した記憶位置とのいずれかが自動的に決定され、ユーザの現在位置に最も適した情報の転送などの管理を行うことが可能となる。
【００２０】
請求項６に記載の発明によれば、現在位置情報が変化したと判定された場合、携帯端末装置の制御部は、端末記憶部に記憶された情報を、記憶位置により表された記憶部に記憶させる。この結果、現在位置情報が変化しない場合でも制御部が所定周期で記憶部に記憶させる制御処理を行う構成に比べ、携帯端末装置の制御部が記憶部に記憶させる制御処理は、現在位置情報が変化した場合に限られることから、その制御処理の負担が軽減される。
【００２１】
請求項７記載の発明によれば、接続装置は、第１記憶部を備え、前記携帯端末装置のための充電機能を有するクレードルから構成される。この結果、クレードルから供給される電力を用いて第１記憶部または第２記憶部に記憶される情報を転送することができるため、携帯端末装置に備えられた外部電源の電力を無駄に消費することがない。
【００２２】
請求項８記載の発明によれば、接続検出信号受取部と、ユーザ位置情報記憶部と、記憶位置決定部と、制御部とが、接続装置に備えられている。この結果、ユーザの現在位置に応じて、情報の利便性を重視した記憶位置と、情報の安全性を重視した記憶位置とのいずれかが自動的に決定され、ユーザの現在位置に最も適した情報の転送などの管理を行うことが可能となる。
【００２３】
請求項９及び請求項１０に記載の発明によれば、記憶位置決定ステップは、端末記憶部に記憶された情報を、接続装置に備えられる第１記憶部か、または携帯端末装置と接続装置との少なくとも一方の装置と、通信回線または無線により接続される情報管理サーバに備えられる第２記憶部かのいずれの記憶部に記憶させるかを表す記憶位置を、現在位置情報に基づいて決定する。制御ステップは、検出ステップが接続状態を検出しているとき、端末記憶部に記憶される情報を、記憶位置により表された記憶部に記憶させる。この結果、ユーザの現在位置に応じて、情報の利便性を重視した記憶位置と、情報の安全性を重視した記憶位置とのいずれかが自動的に決定され、ユーザの現在位置に最も適した情報の転送などの管理を行うことが可能となる。
【発明を実施するための最良の形態】
【００２４】
［実施形態］
以下、表示指令に従って表示情報を表示することが可能な閲覧端末装置と、閲覧端末装置が接続可能に接続されるクレードルとの組み合わせに本発明を適用した一実施形態について図面を参照して説明する。
【００２５】
＜実施形態の外観的構成＞
図１と図２とは、本発明を適用した実施形態の閲覧端末装置１とクレードル１０１との概念的構成を示す。図１は、実施形態の閲覧端末装置１がクレードル１０１から取り外されている状態の外観図を示す。図２は、実施形態の閲覧端末装置１がクレードル１０１に接続されている状態の外観図を示す。
【００２６】
実施形態の閲覧端末装置１は、携帯可能な構成であり、略直方体の形状である。実施形態の閲覧端末装置１には、ディスプレイ４と、５つの操作キー１４１〜１４５と、コネクタ１７１とが備えられている。操作キー１４１〜１４５により、閲覧端末装置１が操作される。コネクタ１７１は、閲覧端末装置１とクレードル１０１とを電気的に接続するために備えられている。操作キー１４１〜１４５を備える閲覧端末装置１は、本発明の携帯端末装置の一例である。
【００２７】
実施形態のクレードル１０１のコネクタ１７２は、閲覧端末装置１とクレードル１０１とを電気的に接続するために備えられる。図２は閲覧端末装置１がクレードル１０１に接続された図である。図２に示す閲覧端末装置１がクレードル１０１に接続された状態では、コネクタ１７１とコネクタ１７２とが接続されている。クレードル１０１が、家庭やオフィスに備えられているコンセントを介して商用電源などの外部電源と接続可能な構成を有している場合、コネクタ１７１とコネクタ１７２とが接続されることにより、閲覧端末装置１に備えられている図３に示すシステム電源３０がクレードル１０１を介して充電される。システム電源３０は充電可能な電源である。そのため、閲覧端末装置１はクレードル１０１から取り外されて、携帯することができる。また、クレードル１０１がインターネットと接続及び通信することが可能な構成を有している場合、コネクタ１７１とコネクタ１７２とが接続されることで、インターネット上のデータがクレードル１０１と閲覧端末装置１との間で送受信される。実施形態の閲覧端末装置１が接続可能なクレードル１０１は、本発明の接続装置の一例である。
【００２８】
＜実施形態の電気的構成＞
図３は、実施形態の閲覧端末装置１とクレードル１０１と情報管理サーバ１０２と位置情報記憶サーバ１０３との電気的構成を示すブロック図である。図３に示すように、実施形態の閲覧端末装置１には、閲覧端末装置１を制御するＣＰＵ２が備えられている。ＣＰＵ２には、表示制御部３と、メモリーカードインターフェース（Ｉ／Ｆ）５と、ＲＯＭ９と、ＲＡＭ１０と、ＥＥＰＲＯＭ１１と、電源制御部１２と、操作キー１４１〜１４５と、クレードル通信部１５と、接続検出部１６とがそれぞれ電気的に接続されている。メモリーカードインターフェース５は、携帯型の外部メモリーであるメモリーカード６と接続するためのインターフェースである。ＣＰＵ２は、メモリーカード６、ＲＯＭ９、ＲＡＭ１０及びＥＥＰＲＯＭ１１などの記憶手段と共に、第１の実施形態の閲覧端末装置１の動作を制御処理するコンピュータを構成している。実施形態のＣＰＵ２と記憶手段とからなるコンピュータは、本発明の記憶位置決定部と、制御部と、位置変化判定部と、現在位置判定部との一例である。クレードル通信部１５と接続検出部１６とは、端末インターフェース（Ｉ／Ｆ）１７と接続されている。端末インターフェース１７は、閲覧端末装置１とクレードル１０１とを接続するインターフェースである。第１の実施形態では、端末インターフェース１７として、コネクタ１７１が用いられている。
【００２９】
実施形態のクレードル１０１に備えられるクレードルインターフェース（Ｉ／Ｆ）１９は、電源インターフェース（Ｉ／Ｆ）２２と、通信インターフェース（Ｉ／Ｆ）２３と、第１記憶部４１と接続している。実施形態では、クレードルインターフェース１９として、コネクタ１７２が用いられている。実施形態では、コネクタ１７１とコネクタ１７２との接続は、端末インターフェース１７とクレードルインターフェース１９との接続である。閲覧端末装置１に備えられるコネクタ１７１と、クレードル１０１に備えられるコネクタ１７２とが接続されることで、接続検出部１６により、閲覧端末装置１がクレードルに接続されたことが検出される。詳細な説明は、図８を用いて後述する。コネクタ１７１とコネクタ１７２とが接続されることで、情報の送受信が、クレードル１０１を介して情報管理サーバ１０２及び位置情報記憶サーバ１０３と閲覧端末装置１との間で可能となる。電源インターフェース２２は、家庭やオフィスに備えられている商用電源などの外部電源とクレードルとを接続するためのインターフェースである。通信インターフェース２３は、通信回線または無線によりインターネットを介して情報を通信するためのインターフェースである。端末インターフェース１７とクレードルインターフェース１９とが接続されたとき、クレードルインターフェース１９または通信インターフェース２３とにより、閲覧端末装置１に備えられたメモリーカード６に記憶される表示情報６０１または第２記憶部４２に記憶されている情報が、第１記憶部に転送されて記憶される。実施形態の第１記憶部４１は、本発明の第１記憶部の一例である。
【００３０】
実施形態の情報管理サーバ１０２に備えられる通信インターフェース（Ｉ／Ｆ）２５は、通信インターフェース２３と第２記憶部４２と接続される。通信インターフェース２５は、インターネットを介して情報を通信するためのインターフェースである。情報管理サーバ１０２は、通信インターフェース２５により、クレードル１０１と情報の送受信をすることができる。端末インターフェース１７とクレードルインターフェース１９とが接続されたとき、通信インターフェース２３と通信インターフェース（Ｉ／Ｆ）２５との間の通信により、閲覧端末装置１に備えられたメモリーカード６に記憶される表示情報６０１又は第１記憶部４１に記憶されている情報が、第２記憶部４２に転送されて記憶される。実施形態の第２記憶部４２は、本発明の第２記憶部の一例である。
【００３１】
実施形態の位置情報記憶サーバ１０３に備えられる通信インターフェース（Ｉ／Ｆ）２４は、通信インターフェース２３と位置情報記憶部４３と現在位置情報取得部４４とに接続している。通信インターフェース２４は、インターネットを介して情報を通信するためのインターフェースである。位置情報記憶サーバ１０３は、通信インターフェース２４を介して、クレードル１０１と情報の通信をすることができる。実施形態では、現在位置情報取得部４４は、公知の入退室管理システムから構成され、この入退室管理システムにより取得されたユーザの位置情報が、ユーザの現在位置を示す情報である。
【００３２】
位置情報記憶部４３は、現在位置情報取得部４４により取得されたユーザの現在位置を示すユーザ位置情報を記憶する。入退室管理システムにおいては、ユーザが各個人の個人情報が記憶されたＩＤカードを所持し、そのＩＤカードをビルの入り口や部屋の入り口に備えられたＩＤカードリーダに近づけたときに、個人認証が行われる。入退室管理システムは、入退室の許可、又は不許可を決定するシステムである。現在位置情報取得部４４は、ＩＤカードがＩＤカードリーダに近づけられることで取得された個人情報を、通信インターフェース２４によりネットワークを介して取得する。現在位置情報取得部４４により取得された各ユーザの現在位置は、位置情報記憶部４３にユーザ位置情報として記憶される。実施形態では、ビル１とビル２とにそれぞれに入退室管理システムが備えられているとする。ビル１には、部屋Ａと部屋Ｂと部屋Ｃとが備えられている。ビル２には、部屋Ｄと部屋Ｅとが備えられている。各クレードルには、クレードルＩＤ「ａ０００１」〜「ａ０００５」が付与される。ＩＤが付与されたクレードルが、各ビルのいずれの部屋に備えられているかを示すクレードル位置情報は、予め位置情報記憶部４３に記憶されている。図４は、クレードルＩＤに対応する各クレードルが、各ビルのいずれの部屋に備えられているかを示すクレードル位置情報と、各ユーザの現在位置を示すユーザ位置情報とが位置情報記憶部４３に記憶される記憶状態を示す概念図である。図４に示すように、各クレードルＩＤとクレードル位置情報とが対応付けられて、位置情報記憶部４３に記憶される。また、ユーザＩＤとユーザ位置情報とが対応付けられて、位置情報記憶部４３に記憶される。
【００３３】
ＲＯＭ９には、メイン動作プログラム９０１と、ファイル送信処理プログラム９０２と、ファイル転送処理プログラム９０３とが記憶されている。メイン動作プログラム９０１は、第１の実施形態の閲覧端末装置１を制御するためのプログラムである。ファイル送信処理プログラム９０２は、閲覧端末装置１がクレードル１０１に接続されたことを検出したときに、メモリーカード６に記憶されている表示情報６０１を、ユーザの現在位置に基づいて第１記憶部４１又は第２記憶部４２に転送を行うプログラムである。ファイル転送処理プログラム９０３は、メモリーカード６または第１記憶部４１または第２記憶部４２のいずれか１つの記憶部に記憶される表示情報を、他の２つの記憶部のいずれの記憶部に転送して記憶させるかを表すための記憶位置を決定するプログラムである。ファイル転送処理プログラム９０３は、決定された記憶位置に従って表示情報を転送し、記憶位置が表す記憶部に記憶させる機能を実現するものである。
【００３４】
メモリーカードインターフェース５は、携帯型の外部メモリーであるメモリーカード６と接続するためのインターフェースである。メモリーカード６には、ディスプレイ４に情報を表示するための表示情報６０１が記憶される。表示情報は、ディスプレイ４の各画素ごとに表示色を指定するための画素情報から構成される。表示情報６０１は、複数のページにより構成されるファイルの形式により記憶されている。図５は、各表示ファイルがメモリーカード６に記憶される記憶状態を示す概念図である。各ファイルを閲覧可能な権限が付与されたユーザのユーザＩＤが、メモリーカード６に記憶される各ファイルと対応付けられ、ユーザＩＤと各ファイルとの対応関係が表示情報６０１としてメモリーカード６に記憶される。
【００３５】
ＲＡＭ１０は、公知のＲＡＭから構成される。ＲＡＭ１０は、前回表示データ１００１と現在表示データ１００２とページ展開データ１００３とユーザ位置情報１００４と前回ユーザ位置情報１００５とを一時記憶する。
【００３６】
前回表示データ１００１は、操作キー１４１〜１４５の操作によりディスプレイ４の表示が新たに切り替えられる際、現在表示データ１００２に含まれている情報と同じ情報である。
【００３７】
現在表示データ１００２は、ページ展開データ１００３に含まれている座標情報に基づいて、ディスプレイ４を制御するための画素情報を含む。画素情報は、ディスプレイ４の各画素ごとの表示色を指定するための情報である。
【００３８】
ページ展開データ１００３は、表示情報６０１としてメモリーカード６に記憶されるテキスト、画像及び図形等の表示情報と、それらの座標情報とを含む。座標情報は、テキスト、画像及び図形等のディスプレイ４における配置位置を示す情報である。
【００３９】
ユーザ位置情報１００４は、位置情報記憶部４３から転送されて記憶されたクレードルＩＤ及びクレードル位置情報及びユーザＩＤ及びユーザ位置情報である。ユーザ位置情報１００４は、とクレードル位置情報とユーザ位置情報とを合わせた情報である。通信インターフェース２４を介して、位置情報記憶部４３から転送されて閲覧端末装置１のＲＡＭ１０に記憶されるユーザ位置情報１００４に基づいて、クレードル位置情報が表す場所とユーザ位置情報が表す場所との間の距離が決定される。図６は、クレードルＩＤ「ａ０００１」についてのユーザ位置情報１００４がＲＡＭ１０に一時記憶される記憶状態を示す概念図である。ユーザ位置情報１００４中のクレードル位置情報とユーザ位置情報とが一致した場合、クレードルとユーザとの距離が図６に示す「近」と閲覧端末装置１により決定される。また、クレードル位置情報の部屋とユーザ位置情報の部屋とは異なるが、同じビルにある場合、ユーザ位置情報１００４として記憶されるクレードル位置情報とユーザ位置情報とに基づいて、クレードルとユーザとの距離が図６に示す「中」と閲覧端末装置１により決定される。クレードルが備えられたビルとユーザが現在いるビルとが異なる場合、ユーザ位置情報１００４として記憶されるクレードル位置情報とユーザ位置情報とに基づいて、クレードルとユーザとの距離が図６に示す「遠」と閲覧端末装置１により決定される。
【００４０】
前回ユーザ位置情報１００５は、ユーザ位置情報１００４として新しく情報が取得されたときに、ユーザ位置情報１００４としてＲＡＭ１０に一時記憶されている前回取得されたユーザ位置情報１００４である。
【００４１】
ＥＥＰＲＯＭ１１は、システム電源３０から遮断された場合でも、記憶内容を保持する。ＥＥＰＲＯＭ１１は、ユーザ設定情報１１０１を保持する。ユーザ設定情報１１０１は、ユーザにより入力されたユーザＩＤである。図７はＥＥＰＲＯＭ１１にユーザ設定情報１１０１が記憶される記憶状態を示す概念図である。図７に示すユーザＩＤが、ユーザ設定情報１１０４としてＥＥＰＲＯＭ１１に記憶される。
【００４２】
電源制御部１２は、ＣＰＵ２とシステム電源スイッチ２０と操作キー１４１〜１４５とに電気的に接続されている。システム電源スイッチ２０の一端は、電源供給ブロック９９に電気的に接続されている。電源供給ブロック９９は、表示制御部３とディスプレイ４とメモリーカードインターフェース５とＲＯＭ９とＲＡＭ１０とＥＥＰＲＯＭ１１とにそれぞれ電力を供給するものである。システム電源スイッチ２０により、システム電源３０と電源供給ブロック９９とが接続されることで、システム電源３０から表示制御部３とディスプレイ４とメモリーカードインターフェース５とＲＯＭ９とＲＡＭ１０とＥＥＰＲＯＭ１１とに電力が供給される。ＣＰＵ２と電源制御部１２とは、システム電源スイッチ２０によるシステム電源３０と電源供給ブロック９９との遮断及び接続とは独立して、システム電源３０から電力の供給を受けている。そのため、システム電源スイッチ２０によりシステム電源３０と電源供給ブロック９９とが接続されていない場合でも、電力がＣＰＵ２と電源制御部１２とに供給される構成となっている。システム電源３０と電源供給ブロック９９とが接続されていない場合でも、ＣＰＵ２は操作キー１４１〜１４５の操作を受け付けることができる。電源制御部１２は、操作キー１４１〜１４５の操作信号を所定の時間受け付けなかったことに基づき、システム電源スイッチ２０により、システム電源３０と電源供給ブロック９９とを遮断する。また、電源制御部１２は、操作キー１４１〜１４５の操作信号を受け付けたことに基づき、システム電源スイッチ２０により、システム電源３０と電源供給ブロック９９とを接続する。
【００４３】
クレードル通信部１５は、クレードル１０１に備えられた第１記憶部４１または情報管理サーバ１０２に備えられた第２記憶部４２または位置情報記憶サーバ１０３に備えられた位置情報記憶部４３に記憶された情報を、クレードルインターフェース１９と端末インターフェース１７とを介して、送受信する。
【００４４】
接続検出部１６は、クレードル１０１に閲覧端末装置１が接続されているか否かを検出する。図８はコネクタ１７１とコネクタ１７２とが接続することで、クレードル１０１に閲覧端末装置１が接続されたことを検出する方法の一例を示す。図８（ａ）は、閲覧端末装置１がクレードル１０１から取り外されている状態を、図８（ｂ）は、閲覧端末装置１がクレードル１０１に接続されている状態を示している。コネクタ１７１とコネクタ１７２とには、複数のピンが備えられている。閲覧端末装置１がクレードル１０１に接続されるとき、複数のピンの１つであるコネクタ１７１のコネクタピン１７１−ａと、コネクタ１７２のコネクタピン１７２−ａとが図８（ｂ）に示すように接続される。図８（ｂ）に示すように閲覧端末装置１がクレードル１０１に接続されているとき、ＣＰＵ２とアース８３とが接続されることで、電源８１からアース８３へ抵抗８２を介して電流が流れる。抵抗８２に電流が流れることにより電圧降下が発生することで、電源８１の電位よりＣＰＵ２の電位が小さくなる。電源８１の電位よりＣＰＵ２の電位が小さくなったことに基づいて、ＣＰＵ２は閲覧端末装置１がクレードル１０１に接続されていると判定する。図８（ａ）に示すように閲覧端末装置１がクレードル１０１に接続されていないとき、電源８１から抵抗８２を介して電流は流れない。そのため、電圧降下は発生せず、電源８１の電位とＣＰＵ２の電位とがほぼ等電位となる。電源８１の電位とＣＰＵ２の電位とが、ほぼ等電位であることに基づいて、ＣＰＵ２は閲覧端末装置１がクレードル１０１から取り外されていると判定する。実施形態の接続検出部１６は、本発明の検出部の一例である。
【００４５】
＜実施形態のメイン動作の説明＞
以上説明した構成からなる実施形態の閲覧端末装置１の動作及び作用について、添付図面を参照して説明する。図９は、閲覧端末装置１におけるメイン動作の処理手順を示すフローチャートである。メイン動作は、電池またはコンセントを介して商用電源などの外部電源と閲覧端末装置１とが接続されたことにより、閲覧端末装置１のＣＰＵ２と電源制御部１２とに電力が供給される。その後に、ＣＰＵ２がメインプログラム９０１を実行することにより、遂行される。以下に示す処理は全てＣＰＵ２により処理される。
【００４６】
閲覧端末装置１では、最初にステップＳ１０１で本装置の電源スイッチがユーザによりＯＮされたかが判定される。電源スイッチがＯＮにされたと判定されるまで、ステップＳ１０１が繰り返される。電源スイッチがＯＮにされたと判定されると、ステップＳ１０２が実行される。電源スイッチは、ハードウェアを用いたスイッチであっても、ソフトウェアにより動作される電源スイッチであっても良い。
【００４７】
ステップＳ１０２では、接続検出部１６により閲覧端末装置１がクレードル１０１に接続されていることが検出されたかが判定される。閲覧端末装置１の接続が検出されたと判定された場合、ステップＳ１０７が実行される。閲覧端末装置１がクレードル１０１に接続されていないことが検出されたと判定された場合、ステップＳ１０３が実行される。実施形態のステップＳ１０２は、本発明の検出ステップの一例である。
【００４８】
ステップＳ１０３では、各種設定操作指示があるかが判定される。各種設定操作指示がある場合、ステップＳ１０４が実行される。各種設定操作指示がない場合、ステップＳ１０２が再度実行される。
【００４９】
ステップＳ１０４では、ユーザ登録指示があるか否かが判定される。ユーザ登録指示がある場合、ステップＳ１０５が実行される。ユーザ登録指示がない場合、ステップＳ１０６が実行される。
【００５０】
ステップＳ１０５では、ユーザ記憶処理が実行される。ユーザは閲覧端末装置１によりユーザＩＤを入力する。入力されたユーザＩＤは、ユーザ設定情報１１０１としてＥＥＰＲＯＭ１１に記憶される。ＥＥＰＲＯＭ１１に記憶されるユーザ設定情報１１０１は、位置情報記憶サーバ１０３へ転送され、位置情報記憶サーバ１０３に備えられた位置情報記憶部４３に記憶される。
【００５１】
ステップＳ１０６では、機密設定処理が実行される。ユーザは、閲覧端末装置１のメモリーカード６に記憶された各ファイルについて、ステップＳ１０５でＥＥＰＲＯＭ１１に記憶されたユーザ設定情報１１０１が表す各ユーザが閲覧可能か閲覧不可能かの機密設定を入力する。各ファイルを閲覧可能か閲覧不可能かの機密設定が、ユーザ設定情報１１０１としてＥＥＰＲＯＭ１１に記憶された各ユーザごとに入力される。
【００５２】
ステップＳ１０７では、ファイル送信処理が実行される。閲覧端末装置１のメモリーカード６に記憶されている表示情報６０１が転送される記憶位置が、ＲＡＭ１０に記憶されているユーザ位置情報１００４に基づいて決定される。表示情報６０１として記憶される各ファイルは、決定された記憶位置により表される記憶部へ転送されて記憶される。実施形態のステップＳ１０７は、本発明の記憶位置決定ステップと、制御ステップとの一例である。
【００５３】
ステップＳ１０８では、位置情報記憶部４３に記憶されたユーザ位置情報に変化があったか否かが判定される。閲覧端末装置１は、端末インターフェース１７とクレードル１０１の通信インターフェース２３とを介して、位置情報記憶部４３からユーザの現在位置情報を所定の周期で取得する。ユーザ位置情報１００４は、前回ユーザ位置情報１００５として記憶される。位置情報記憶部４３から新たに取得されたユーザの現在位置情報は、ユーザ位置情報１００４として記憶される。ユーザ位置情報１００４と前回ユーザ位置情報１００５とが一致するか否かが判定される。一致した場合、ステップＳ１１０が実行される。一致しない場合、ステップＳ１０９が実行される。実施形態のステップＳ１０８とＣＰＵ２とは、本発明の位置変化判定部の一例である。
【００５４】
ステップＳ１０９では、ファイル転送処理が実行される。ステップＳ１０８で変化があった位置情報に基づいて、メモリーカード６または第１記憶部４１または第２記憶部４２に記憶された情報を記憶させる記憶位置が決定される。メモリーカード６、第１記憶部４１または第２記憶部４２に記憶された情報は、決定された記憶位置により表された記憶部へ転送されて記憶される。
【００５５】
ステップＳ１１０では、クレードル１０１から閲覧端末装置１が取り外されたかが判定される。クレードル１０１から閲覧端末装置１が取り外されたと判定した場合は、ステップＳ１０１が実行される。クレードル１０１に閲覧端末装置１が接続されていると判定した場合は、再びステップＳ１０８が実行される。実施形態のステップＳ１１０は、本発明の検出ステップの一例である。
【００５６】
（ファイル送信処理動作）
図１０は、ファイル送信処理プログラム９０２に従う閲覧端末装置１のファイル送信処理を実行するフローチャートである。まず、ステップＳ２０１では、位置情報記憶サーバ１０３に備えられた位置情報記憶部４３から、ユーザの現在の位置を示すユーザ位置情報が取得される。クレードルインターフェース１９と端末インターフェース１７とが接続されたとき、クレードル１０１に接続された閲覧端末装置１の指令により、位置情報記憶部４３に記憶された全てのユーザの現在位置情報が、通信インターフェース２４と通信インターフェース２３とを介して、ユーザ位置情報１００４としてＲＡＭ１０に記憶される。また、クレードル１０１に接続された閲覧端末装置１の指令により、第１記憶部４１と第２記憶部４２とに記憶される全てのファイルの情報が、端末インターフェース１７と介して取得される。
【００５７】
ステップＳ２０２では、クレードル位置情報とユーザ位置情報との距離が図６に示すように決定される。クレードル位置情報とユーザ位置情報との距離が「遠」の場合、距離「遠」と対応する表示情報６０１として記憶されるファイルが、閲覧端末装置１のメモリーカード６から情報管理サーバ１０２へ転送される。情報管理サーバ１０２に転送されたファイルは、第２記憶部４２に記憶される。図１１は、ステップＳ２０１でユーザ位置情報が取得された後に、クレードルＩＤ「ａ０００１」についてのユーザ位置情報１００４としてＲＡＭ１０に記憶される記憶状態を示す概念図である。また、図１２は、メモリーカード６と第１記憶部４１と第２記憶部４２とに各ファイルが記憶される記憶状態を示す概念図である。図１２（ａ）は、メモリーカード６にファイルが記憶される記憶状態を示す概念図である。図１２（ｂ）は、第１記憶部４１にファイルが記憶される記憶状態を示す概念図である。図１２（ｃ）は、第２記憶部４２にファイルが記憶される記憶状態を示す概念図である。図１１は、クレードルＩＤ「ａ０００１」に閲覧端末装置１が接続された例である。図１１に示す距離に基づいて、図１２に示す各ファイルが、所定の記憶位置へ転送される。例えば、図１１に示すように、距離が「遠」を示すユーザＩＤ「ｘｘ５３」と「ｘｘ５５」とに対応するファイルが、メモリーカード６から第２記憶部４２へ転送される。ステップＳ２０２では、図５に示す各ファイルについて閲覧可能なユーザＩＤの中の１つでも、距離が「遠」以外を示すユーザＩＤがある場合、そのファイルは第２記憶部４２へ転送されない。図１２に示す例では、ユーザＩＤ「ｘｘ５３」のみに対応する「ファイルＦ５」と、ユーザＩＤ「ｘｘ５５」のみに対応する「ファイルＦ７」とがメモリーカード６から第２記憶部４２へ転送される。一方、「ファイルＦ２」を閲覧可能なユーザＩＤ「ｘｘ５２」の距離が「中」を示しているため、ユーザＩＤ「ｘｘ５３」に対応する「ファイルＦ２」は、第２記憶部４２へ転送されない。また、ユーザＩＤ「ｘｘ５５」に対応する「ファイルＦ４」についても同様に、「ファイルＦ４」を閲覧可能なユーザＩＤ「ｘｘ５１」と「ｘｘ５４」との距離が「近」を示しているため、「ファイルＦ４」は第２記憶部４２へ転送されない。
【００５８】
ステップＳ２０３では、ステップＳ２０２で情報管理サーバ１０２へ転送された表示情報６０１として記憶されるファイルが、メモリーカード６から削除される。図１２（ａ）に示す「ファイルＦ５」と「ファイルＦ７」とがメモリーカード６から削除される。
【００５９】
ステップＳ２０４では、図１１に示す距離が「近」または「中」に対応するファイルが、第２記憶部４２に記憶されているか否かが判定される。閲覧端末装置１のＲＡＭ１０に記憶されるユーザ位置情報１００４に基づいて、図１１に示す距離が「近」と「中」とのユーザＩＤに対応するファイルが、第２記憶部４２に記憶されているかが閲覧端末装置１により判定される。図１１に示す距離が「近」と「中」とに対応するユーザＩＤと、図１２に示す第２記憶部４２に記憶される各ファイルの閲覧可能なユーザＩＤとが一致するかが判定される。図１１に示す距離が「近」と「中」とに対応するユーザＩＤと、図１２に示す第２記憶部４２に記憶される各ファイルの閲覧可能なユーザＩＤとが一致すると判定された場合、ユーザＩＤが一致したファイルを第２記憶部４２から、第１記憶部４１またはメモリーカード６へ転送するために、ステップＳ２０５が実行される。記憶されていないと判定された場合、ステップＳ２０６が実行される。図１１と図１２との例では、第２記憶部４２に記憶される「ファイルＦ１」に対応するユーザＩＤ「ｘｘ５１」と、距離「近」に対応するユーザＩＤ「ｘｘ５１」とが一致するため、ステップＳ２０５が実行される。
【００６０】
ステップＳ２０５では、ステップＳ２０４で距離が「近」と「中」と対応付けられていると判定されたファイルが、第２記憶部４２から閲覧端末装置１に転送される。転送されたファイルは、閲覧端末装置１の表示情報６０１としてメモリーカード６に記憶される。図１２（ｃ）に示す第２記憶部４２に記憶される「ファイルＦ１」が、メモリーカード６に記憶される。第２記憶部４２からメモリーカード６へ転送された「ファイルＦ１」は、第２記憶部４２から削除される。
【００６１】
ステップＳ２０６では、ステップＳ２０５で表示情報６０１として記憶された距離「中」に対応するファイルと予め表示情報６０１に記憶されていた距離「中」に対応するファイルとが、メモリーカード６から第１記憶部４１へ転送されて第１記憶部４１に記憶される。図１１に示す距離が「中」を示すユーザＩＤ「ｘｘ５２」に対応するメモリーカード６に記憶される「ファイルＦ２」と「ファイルＦ６」とが、第１記憶部４１へ転送される。図１２（ａ）に示す「ファイルＦ２」を閲覧可能なユーザＩＤは、「ｘｘ５２」と「ｘｘ５３」とである。図１１に示す「ｘｘ５３」の距離が「遠」を示しているのに対し、「ｘｘ５２」の距離は「中」を示している。この場合、ファイルを閲覧可能な複数のユーザの位置情報の中で少なくとも１つの位置情報についてユーザの位置情報がクレードル１０１の位置と、部屋は異なるが同じビル内にいるため近いと判定されたため、「ファイルＦ２」と「ファイルＦ６」とは、第１記憶部４１に記憶される。閲覧端末装置１の少なくとも１人の正規ユーザがクレードル１０１の位置と、部屋は異なるが同じビル内にいるとして近いと判定されたため、不正使用される可能性が低く、利便性が重視される。「ファイルＦ２」及び「ファイル６」が第１記憶部４１に記憶されることで、正規ユーザは、第１記憶部４１に記憶された情報を短時間で読み出すことができ、閲覧端末装置１の利便性が重視され、使い勝手が良くなる。
【００６２】
ステップＳ２０７では、ステップＳ２０６で第１記憶部４１に記憶されたファイルが、メモリーカード６から削除される。図１２（ａ）に示す第１記憶部４１に記憶される「ファイルＦ２」と「ファイルＦ６」とがメモリーカード６から削除される。
【００６３】
（ファイル転送処理）
図１３は、ファイル転送処理プログラム９０３に従う閲覧端末装置１のファイル転送処理を実行するフローチャートである。まず、ステップＳ３０１では、図１１に示す距離が、「遠」から「中」に変化があったユーザＩＤがあるかが判定される。「遠」から「中」に変化があったユーザＩＤがあると判定された場合、ステップＳ３０２が実行される。「遠」から「中」に変化があったユーザＩＤがないと判定された場合、ステップＳ３０４が実行される。図１４は、ステップＳ１０８で位置情報記憶部４３から新たに取得されたユーザ位置情報が、ユーザ位置情報１００４としてＲＡＭ１０に記憶される記憶状態を示す概念図である。この場合、図１１に示すユーザ位置情報は、前回ユーザ位置情報１００５としてＲＡＭ１０に記憶される。また、図１５は、図１４に示す位置情報が取得されたときの、メモリーカード６及び第１記憶部４１及び第２記憶部４２にファイルが記憶される記憶状態を示す概念図である。図１５（ａ）は、メモリーカード６にファイルが記憶される記憶状態を示す概念図である。図１５（ｂ）は、第１記憶部４１にファイルが記憶される記憶状態を示す概念図である。図１５（ｃ）は、第２記憶部４２にファイルが記憶される記憶状態を示す概念図である。ユーザ位置情報１００４と前回ユーザ位置情報１００５とを比較すると、「遠」から「中」に変化があったユーザＩＤとして「ｘｘ５３」があると判定される。
【００６４】
ステップＳ３０２では、「遠」から「中」に変化があったユーザＩＤに対応するファイルが、第２記憶部４２から第１記憶部４１へ転送されて第１記憶部４１に記憶される。図１５（ｃ）に示す「ファイルＦ５」が、第２記憶部４２から第１記憶部４１へ転送されて、第１記憶部４１に記憶される。
【００６５】
ステップＳ３０３では、ステップＳ３０２で転送されたファイルが、第２記憶部４２から削除される。第２記憶部４２から、「ファイルＦ５」が削除される。
【００６６】
ステップＳ３０４では、図１１に示す距離が、「中」から「遠」に変化があったユーザＩＤがあるかが判定される。「中」から「遠」に変化があったユーザＩＤがあると判定された場合、ステップＳ３０５が実行される。「中」から「遠」に変化があったユーザＩＤがないと判定された場合、ステップＳ３０７が実行される。ユーザ位置情報１００４の記憶状態を示す図１４と前回ユーザ位置情報１００５を示す図１１とを比較すると距離が「中」から「遠」に変化があったユーザＩＤとして「ｘｘ５２」があると判定される。
【００６７】
ステップＳ３０５では、「中」から「遠」に変化があったユーザＩＤに対応するファイルが、第１記憶部４１から第２記憶部４２へ転送されて第２記憶部４２に記憶される。図１５（ｂ）に示す「ファイルＦ６」が、第１記憶部４１から第２記憶部４２へ転送されて、第２記憶部４２に記憶される。一方、ユーザＩＤ「ｘｘ５２」が閲覧可能な「ファイルＦ２」は、ユーザＩＤ「ｘｘ５３」も閲覧可能である。図１４に示すように、ユーザＩＤ「ｘｘ５３」の距離は「中」を示している。そのため、「ファイルＦ２」は、第２記憶部４２へ転送されず、第１記憶部４１に維持される。この場合、ファイルを閲覧可能な複数のユーザの位置情報の中で少なくとも１つの位置情報についてユーザの位置情報がクレードル１０１と、部屋は異なるが同じビルにいるため近いと判定したため、「ファイルＦ２」は、第１記憶部４１に維持される。閲覧端末装置１の少なくとも１人の正規ユーザがクレードル１０１の近くにいるため、不正使用される可能性が低く、利便性が重視される。「ファイルＦ２」が第１記憶部４１に維持されることで、正規ユーザは、第１記憶部４１に記憶された情報を短時間で読み出すことができ、閲覧端末装置１の利便性が重視され、使い勝手が良くなる。
【００６８】
ステップＳ３０６では、ステップＳ３０５で転送されたファイルが、第１記憶部４１から削除される。第１記憶部４１から、「ファイルＦ６」が削除される。
【００６９】
ステップＳ３０７では、図１１に示す距離が、「中」から「近」に変化があったユーザＩＤがあるかが判定される。「中」から「近」に変化があったユーザＩＤがあると判定された場合、ステップＳ３０８が実行される。「中」から「近」に変化があったユーザＩＤがないと判定された場合、ステップＳ３１０が実行される。
【００７０】
ステップＳ３０８では、「中」から「近」に変化があったユーザＩＤに対応するファイルが、第１記憶部４１からメモリーカード６へ転送されてメモリーカード６に記憶される。
【００７１】
ステップＳ３０９では、ステップＳ３０８で転送されたファイルが、第１記憶部４１から削除される。
【００７２】
ステップＳ３１０では、図１１に示す距離が、「近」から「中」に変化があったユーザＩＤがあるかが判定される。「近」から「中」に変化があったユーザＩＤがあると判定された場合、ステップＳ３１１が実行される。「近」から「中」に変化があったユーザＩＤがないと判定された場合、ステップＳ３１３が実行される。ユーザ位置情報１００４の記憶状態を示す図１４と前回ユーザ位置情報１００５を示す図１１とを比較すると距離が「近」から「中」に変化があったユーザＩＤとして「ｘｘ５１」があると判定される。
【００７３】
ステップＳ３１１では、「近」から「中」に変化があったユーザＩＤに対応するファイルが、メモリーカード６から第１記憶部４１へ転送されて第１記憶部４１に記憶される。図１５（ａ）に示すユーザＩＤ「ｘｘ５１」に対応する「ファイルＦ１」が、メモリーカード６から第１記憶部４１へ転送されて、第１記憶部４２に記憶される。一方、ユーザＩＤ「ｘｘ５１」に対応するファイルとして、「ファイルＦ４」がメモリーカード６に記憶されている。しかし、「ファイルＦ４」を閲覧可能なユーザＩＤである「ｘｘ５４」と「ｘｘ５５」との距離が「近」を示しているため、「ファイルＦ４」は、メモリーカード６から第１記憶部へ転送されず、メモリーカード６に維持される。
【００７４】
ステップＳ３１２では、ステップＳ３１１で転送されたファイルが、メモリーカード６から削除される。メモリーカード６から、「ファイルＦ１」が削除される。
【００７５】
ステップＳ３１３では、図１１に示す距離が、「遠」から「近」に変化があったユーザＩＤがあるかが判定される。「遠」から「近」に変化があったユーザＩＤがあると判定された場合、ステップＳ３１４が実行される。「遠」から「近」に変化があったユーザＩＤがないと判定された場合、ステップＳ３１６が実行される。ユーザ位置情報１００４の記憶状態を示す図１４と前回ユーザ位置情報１００５を示す図１１とを比較すると距離が「遠」から「近」に変化があったユーザＩＤとして「ｘｘ５５」があると判定される。
【００７６】
ステップＳ３１４では、「遠」から「近」に変化があったユーザＩＤに対応するファイルが、第２記憶部４２からメモリーカード６へ転送されてメモリーカード６に記憶される。図１５（ｃ）に示す「ファイルＦ７」が、第２記憶部４２からメモリーカード６へ転送されて、メモリーカード６に記憶される。
【００７７】
ステップＳ３１５では、ステップＳ３１４で転送されたファイルが、第２記憶部から削除される。第２記憶部４２に記憶される「ファイルＦ７」が削除される。
【００７８】
ステップＳ３１６では、図６に示す距離が、「近」から「遠」に変化があったユーザＩＤがあるかが判定される。「近」から「遠」に変化があったユーザＩＤがあると判定された場合、ステップＳ３１７が実行される。「近」から「遠」に変化があったユーザＩＤがないと判定された場合、ファイル転送処理は終了される。
【００７９】
ステップＳ３１７では、「近」から「遠」に変化があったユーザＩＤに対応するファイルが、メモリーカード６から第２記憶部４２へ転送されて第２記憶部４２に記憶される。
【００８０】
ステップＳ３１８では、ステップＳ３１７で転送されたファイルが、メモリーカード６から削除される。
【００８１】
（変形例１）
実施形態の位置情報記憶サーバ１０３の変形例１について説明する。実施形態では、閲覧端末装置１により、位置情報記憶部４３に記憶されるユーザ位置情報に変化があったか否かが判定されている。変形例１では、位置情報記憶サーバにより、位置情報記憶部に記憶されるユーザ位置情報に変化があったか否かが判定されても良い。この変形例１では、位置情報記憶部に記憶されるユーザ位置情報に変化があった場合、位置情報記憶サーバにより変化があったユーザ位置情報が、閲覧端末装置へ送信される。また、図６、図１１、図１４に示す距離が、位置情報記憶サーバ１０３により決定されても良い。
【００８２】
（変形例２）
実施形態のファイル送信処理動作のステップＳ２０１の変形例２について説明する。ステップＳ２０１では、クレードル１０１に接続された閲覧端末装置１の指令により、位置情報記憶部４３に記憶された全てのユーザの現在位置情報が、通信インターフェース２４と通信インターフェース２３とを介して、ユーザ位置情報１００４としてＲＡＭ１０に記憶される。変形例２では、ＥＥＰＲＯＭ１１に記憶されるユーザ設定情報１１０１に対応するユーザＩＤに対応するユーザ位置情報のみが、位置情報記憶部４３から抽出されてユーザ位置情報１００４としてＲＡＭ１０に記憶されても良い。
【００８３】
（変形例３）
実施形態のクレードル１０１の変形例３について説明する。実施形態では、閲覧端末装置１に備えられたＣＰＵ２とＲＯＭ９及びＲＡＭ１０などの記憶手段とから構成されるコンピュータにより、メイン処理動作とファイル送信処理動作とファイル転送処理動作とを実現している。変形例３では、閲覧端末装置１にＣＰＵ２とＲＯＭ９及びＲＡＭ１０などの記憶手段とからなるコンピュータが備えられる代わりに、クレードルにコンピュータが備えられても良い。この変形例３では、クレードルにより、メイン処理動作とファイル送信処理動作とファイル転送処理動作とが実行される。この場合、閲覧端末装置に備えられた接続検出部により閲覧端末装置とクレードルとの接続状態が検出される。接続状態を表す接続検出信号がクレードルにより受け取られて、クレードルに備えられたコンピュータによりメイン処理動作が実行される。クレードルインターフェースとして備えられるコネクタが、本発明の接続検出信号受取部の一例である。また、変形例３において、接続検出部が、クレードルに備えられても良い。
【００８４】
（変形例４）
実施形態のファイル送信処理動作のステップＳ２０１の変形例４について説明する。ステップＳ２０１では、クレードル１０１に接続された閲覧端末装置１の指令により、第１記憶部４１と第２記憶部４２とに記憶される全てのファイルの情報が、通信インターフェース２４と通信インターフェース２３とを介して取得される。変形例４では、ＥＥＰＲＯＭ１１に記憶されるユーザ設定情報１１０１のユーザＩＤに対応するファイルのみの情報が、通信インターフェース２４と通信インターフェース２３とを介して取得されても良い。
【００８５】
（変形例５）
実施形態のクレードル１０１の変形例５について説明する。実施形態では、本発明の接続装置として、クレードル１０１が用いられている。変形例５では、実施形態のクレードル１０１の代わりに、閲覧端末装置に備えられたＣＰＵとＲＯＭ及びＲＡＭなどの記憶手段とを備えるインターネットに接続可能であり、且つ、閲覧端末装置と直接接続可能な汎用のコンピュータが用いられても良い。その汎用のコンピュータは、メイン処理動作とファイル送信処理動作とファイル転送処理動作とを実行する。この場合、汎用のコンピュータには、クレードルインターフェースとしてクレードル側のコネクタが備えられている。また、汎用のコンピュータのクレードルインターフェース及び閲覧端末装置の端末インターフェースとして、端末側のコネクタ１７１とクレードル側のコネクタ１７２との代わりに、一般的なＵＳＢ端子が用いられても良い。この場合、閲覧端末装置と汎用のコンピュータとに備えらるＵＳＢ端子が、互いにＵＳＢケーブル等によって直接接続される。ＵＳＢケーブルにより、互いのＵＳＢ端子が接続されることで、接続状態が検出される。ＵＳＢケーブルにより互いのＵＳＢ端子が接続されることで、接続状態が検出される場合、閲覧端末装置により検出状態が検出されて、接続状態を表す接続検出信号がコンピュータにより受け取られても良い。この場合、閲覧端末装置と接続可能なＵＳＢ端子が、本発明の接続検出信号受取部の一例である。また、変形例５において、接続検出部が、汎用のコンピュータに備えられても良い。
【００８６】
（変形例６）
第１の実施形態の変形例６について説明する。実施形態では、ＲＡＭ１０に記憶される距離としてクレードルが設置される場所と、ユーザの現在位置する場所との距離を用いている。変形例６では、クレードルが設置される場所と、ユーザの現在位置する場所との距離に限定されない。実施形態では、クレードルとユーザとの距離が「遠」、「中」、「近」により表されている。変形例６では、メートルなどのある基準点から規定された具体的な距離により表されても良い。具体的な距離の大きさにより、情報を転送すべき記憶位置が決定されても良い。
【００８７】
（変形例７）
実施形態の変形例７について説明する。実施形態では、入退室管理システムを用いてユーザ位置情報を取得している。変形例７では、入退室管理システムに限定されない。入退室管理システムの変わりに、公知のＲＦＩＤなどの電子タグが用いられても良い。この場合、各ユーザが電子タグを持ち、クレードルに電子タグを読み込むタグリーダが備えられる。タグリーダにより、クレードルと各ユーザとの距離が直接決定される。
【００８８】
（変形例８）
実施形態のファイル送信処理動作の変形例８について説明する。実施形態では、ファイル送信処理動作として、表示情報６０１として記憶される表示情報が、ユーザ位置情報に基づいて決定された記憶位置により表される記憶部に記憶される。変形例８では、ファイル送信処理動作として、閲覧端末装置とクレードルとが接続されると、メモリーカード６に記憶される表示情報が、最初に第１記憶部に一時的に記憶される。第１記憶部に記憶された後に、ユーザ位置情報に基づいて、メモリーカード６に転送されて記憶されるか、第１記憶部に維持するか、第２記憶部に転送されて記憶されるかが決定される。
【００８９】
（変形例９）
実施形態のファイル送信処理動作とファイル転送処理動作とを含むメイン処理動作の変形例９について説明する。実施形態では、ファイル送信処理動作とファイル転送処理動作とを含むメイン処理動作は、閲覧端末装置１の指令により実行されている。変形例９では、ファイル送信処理動作とファイル転送処理動作とを含むメイン処理動作が、情報管理サーバの指令により実行されても良い。また、ファイル送信処理動作とファイル転送処理動作とを含むメイン処理動作が、位置情報記憶サーバの指令により実行されても良い。
【００９０】
（変形例１０）
実施形態の閲覧端末装置１の変形例１０について説明する。実施形態では、クレードル１０１に備えられた通信インターフェース２３により、インターネットを介して情報を通信している。変形例１０では、閲覧端末装置１が、インターネットを介して情報を通信可能な通信インターフェースを備えても良い。閲覧端末装置１が、通信インターフェースを備えることで、クレードルを介さず閲覧端末装置と第２記憶部との間で通信することが可能になる。
【００９１】
（変形例１１）
実施形態の閲覧端末装置１のファイル送信処理動作及びファイル転送処理動作の変形例１１について説明する。実施形態では、メモリーカード６に記憶される表示情報が、ユーザ位置情報に基づいて決定された記憶位置により表される記憶部に記憶される。変形例１１では、表示情報６０１だけでなく、メモリーカード６に記憶される全ての情報が、ユーザ位置情報に基づいて決定された記憶位置により表される記憶部に記憶されても良い。また、メモリーカード６に記憶される一部の情報が、ユーザ位置情報に基づいて決定された記憶位置により表される記憶部に記憶されても良い。
【図面の簡単な説明】
【００９２】
【図１】本実施形態における閲覧端末装置１がクレードル１０１から取り外されている状態を示す外観図である。
【図２】本実施形態における閲覧端末装置１がクレードル１０１に接続されている状態を示す外観図である。
【図３】本実施形態における閲覧端末装置１とクレードル１０１と情報管理サーバ１０２と位置情報記憶サーバ１０３との電気的構成を示すブロック図である。
【図４】クレードルＩＤとクレードル位置情報とユーザＩＤとユーザ位置情報と距離とが位置情報記憶部４３に記憶される記憶状態を示す概念図である。
【図５】各表示ファイルがメモリーカード６０１に記憶される記憶状態を示す概念図である。
【図６】クレードルＩＤ「ａ０００１」についてのユーザ位置情報１００４がＲＡＭ１０に一時記憶される記憶状態を示す概念図である。
【図７】ＥＥＰＲＯＭ１１にユーザ設定情報１１０１が記憶される記憶状態を示す概念図である。
【図８】接続検出部１６の構成の一例を表す概念図を示す。
【図９】本実施形態におけるメイン動作を示すフローチャートである。
【図１０】本実施形態におけるファイル送信処理動作を示すフローチャートである。
【図１１】本実施形態におけるステップＳ２０１で取得されたユーザ位置情報１００４としてＲＡＭ１０に記憶される記憶状態を示す概念図である。
【図１２】本実施形態におけるメモリーカード６と第１記憶部４１と第２記憶部４２とに各ファイルが記憶される記憶状態を示す概念図である。
【図１３】本実施形態におけるファイル転送処理動作を示すフローチャートである。
【図１４】本実施形態におけるステップＳ１０８で位置情報記憶部４３から新たに取得されたユーザ位置情報が、ユーザ位置情報１００４としてＲＡＭ１０に記憶される記憶状態を示す概念図である。
【図１５】本実施形態における図１４に示す位置情報が取得されたときの、メモリーカード６及び第１記憶部４１及び第２記憶部４２にファイルが記憶される記憶状態を示す概念図である。
【符号の説明】
【００９３】
１  閲覧端末装置
２  ＣＰＵ
３  表示制御部
４  ディスプレイ
５  メモリーカードインタフェース
６  メモリーカード
９  ＲＯＭ
１０  ＲＡＭ
１１  ＥＥＰＲＯＭ
１２  電源制御部
１５  クレードル通信部
１６  接続検出部
１７  端末インターフェース
１９  クレードルインターフェース
２０  システム電源スイッチ
２２  電源インターフェース
２３  通信インターフェース
２４  通信インターフェース
２５  通信インターフェース
３０  システム電源
４１  第１記憶部
４２  第２記憶部
４３  位置情報記憶部
４４  現在位置情報取得部
８１  電源
８２  抵抗
８３  アース
９９  電源供給ブロック
１０１  クレードル
１０２  情報管理サーバ
１０３  位置情報記憶サーバ
１４１、１４２、１４３、１４４、１４５  操作キー
１７１、１７２  コネクタ
１７１−ａ、１７２−ａ、１７１−ｂ、１７２−ｂ  コネクタピン
６０１  表示情報
９０１  メイン動作プログラム
９０２  ファイル送信処理プログラム
９０３  ファイル転送処理プログラム
１００１  前回表示データ
１００２  現在表示データ
１００３  ページ展開データ
１００４  ユーザ位置情報
１００５  前回ユーザ位置情報
１１０１  ユーザ設定情報
【図１】
2010086165.tif 000003
【図２】
2010086165.tif 000004
【図３】
2010086165.tif 000005
【図４】
2010086165.tif 000006
【図５】
2010086165.tif 000007
【図６】
2010086165.tif 000008
【図７】
2010086165.tif 000009
【図８】
2010086165.tif 000010
【図９】
2010086165.tif 000011
【図１０】
2010086165.tif 000012
【図１１】
2010086165.tif 000013
【図１２】
2010086165.tif 000014
【図１３】
2010086165.tif 000015
【図１４】
2010086165.tif 000016
【図１５】
2010086165.tif 000017